(57)【要約】  【課題】  空調ダクト等に用いられるガスケットロールにおいて、竹の子状の巻き崩れを有効に防止しつつ、加工工数と材料点数とを削減して低コストで製作できるようにする。  【解決手段】  剥離紙１０の一側面に粘着層１１を塗布し、剥離紙１０の他側面に粘着層１１よりも低接着力の微粘着層１１を塗布する。粘着層１１をガスケット１３に貼着する。ガスケット１３を剥離紙１０の内側にして、これらを一体にロール巻きし、このロール巻きによってガスケット１３の他側面に微粘着層１１を貼着し、ガスケットロール１４を構成する。【選択図】  図１
2009041688.tif 000002
【特許請求の範囲】
【請求項１】
帯状のガスケットと剥離紙とを備え、
該剥離紙の一側面に塗布した粘着層を前記ガスケットの一側面に貼着し、該ガスケットを前記剥離紙の内側に位置させて、これらを一体にロール巻きして構成されるガスケットロールにおいて、
前記剥離紙の他側面に、前記剥離紙の他側面に前記粘着層よりも接着力の低い微粘着層を塗布し、該微粘着層を前記ロール巻きによって前記ガスケットの他側面に貼着した
ことを特徴とするガスケットロールの巻き崩れ防止構造。
【発明の詳細な説明】
【技術分野】
【０００１】
本発明は、例えば空調用ダクトを接続する際に、接続部間に気密シール材として介装されるロール状のガスケットに係り、詳しくはこのガスケットロールが竹の子状に巻き崩れるのを防止する構造に関する。
【背景技術】
【０００２】
ビル等の屋内外に配設される空調ダクトを接続する場合に、接続部双方の端部外周に設けられたフランジ間にガスケットを介装し、両フランジをボルトやクリップで連結してガスケットを圧縮することにより、空調ダクトの接側部を気密にシールしている。ガスケットはフランジの接合面に連続して周設されるため、ロール状に巻いたガスケットロールが用いられる。
【０００３】
図３は、空調ダクトの接続に用いられるガスケットロールの一例を、図４は図３のＡ部拡大図をそれぞれ示しており、ガスケット１を、ロックウール繊維やグラスウール繊維を始めとする帯状の基材で形成し、同じく帯状に形成した剥離紙２の一側面に粘着層３を塗布して、該粘着層３をガスケット１の一側面に貼着し、該ガスケット１を剥離紙２よりも内側となるようにこれらをロール状に巻回してガスケットロール４を構成している。
そして、施工時には、ロール巻き外端の剥離紙２を剥がすことにより、ガスケット１の一側面（外側面）に粘着層３が転写して残され、ガスケット１と一体の粘着層３を図示しない空調ダクトの一方のフランジの接合面に貼着することにより、ガスケット１を一方のフランジの接合面に取り付けていく。
【０００４】
このようにガスケットをロール状に巻いたガスケットロールでは、施工時やその他取り扱いの際に、内周側が側方へ竹の子状に突出するといういわゆる巻き崩れを生じることがある。このように、一旦巻き崩れを生じた場合には巻き直し作業が必要であり、あるいはガスケット同士が絡まったり、粘着層が不必要な貼り付け箇所に貼り付いてガスケットが使用できなくなることがある。
このため、ガスケットの無機繊維フェルトの全表面を難燃性の合成樹脂フィルムで被覆するとともに、該合成樹脂フィルムの表面に多数の凹凸を形成し、該凹凸の摩擦力で巻き崩れを防止するガスケットロールが提案されている（例えば、特許文献１）。
【特許文献１】実用新案登録第３０６５７２３号公報
【発明の開示】
【発明が解決しようとする課題】
【０００５】
しかしながら、上述の特許文献１は、ガスケットと被覆用の合成樹脂フィルムの材料を、それぞれ無機繊維フェルトと難燃性との特殊なものに限定し、さらに難燃性合成樹脂フィルムの表面全体に多数の凹凸加工を要する上、この合成樹脂フィルムを無機繊維フェルトの全周に被覆する加工が必要であり、しかもこの被覆ガスケットを空調ダクト等の接続用シール材として用いるには、難燃性合成樹脂フィルムの一側面に粘着層を塗布し、この粘着層の外面を剥離紙で覆ってこれらを一体にロール状に巻く必要があり、材料点数や加工工数，製作コストのいずれにおいても不利なものであった。
【０００６】
本発明は、かかる実情を背景にしてなされたもので、その目的とするところは、竹の子状の巻き崩れを有効に防止しつつ、加工工数と材料点数とを削減して低コストで製作することのできるガスケットロールの巻き崩れ防止構造を提供することにある。
【課題を解決するための手段】
【０００７】
上述の目的にしたがって、本発明は、一側面に塗布した粘着層を前記ガスケットの一側面に貼着し、該ガスケットを前記剥離紙よりも内側にして、これらを一体にロール巻きして構成されるガスケットロールにおいて、前記剥離紙の他側面に、前記剥離紙の他側面に前記粘着層よりも接着力の低い微粘着層を塗布し、該微粘着層を前記ロール巻きによって前記ガスケットの他側面に貼着したことを特徴としている。
【０００８】
剥離紙の他側面に塗布した微粘着層は、ガスケットと剥離紙とを一体にロール巻きした際に、ガスケット外周の他側面に低粘度で貼り付いてガスケットを仮止めする。これにより、ロール巻き状態の内周側が側方へ突出して竹の子状となる巻き崩れが有効に防止される。
また施工時には、従来と同様にロール巻き外端の剥離紙を引き剥がすことにより、該剥離紙の他側面（外周面）に位置する微粘着層が剥離紙と一体に剥がされ、剥離紙の一側面（内周面）に位置する粘着層は従来通りガスケットに転写し、該粘着層を空調ダクトの一方のフランジの接合面に貼着することにより、ガスケットが一方のフランジの接合面に取り付けられる。
【発明の効果】
【０００９】
本発明のガスケットロールによれば、竹の子状の巻き崩れを有効に防止することができ、しかも構成がシンプルであるから、加工工数と材料点数とを削減して従来よりも極めて低コストで製作することができる。また、巻き崩れ防止用の微粘着層を剥離紙の一側面に設けるも、この微粘着層は剥離紙と一体に引き剥がされるので、ガスケットの施工に何ら支障とならず、施工時の作業性にも優れている。
【発明を実施するための最良の形態】
【００１０】
以下本発明を、空調用ダクト接続用のガスケットロールに適用した一実施例を、図面に基づいて説明する。
図１は、ロール状に巻回した図２のＢ部を拡大して直線状に伸ばした状態を示しており、剥離紙１０の一側面には粘着層１１が、該剥離紙１０の他側面に微粘着層１２がそれぞれ塗布されており、一側面側の粘着層１１にガスケット１３が貼着されている。図２は、ガスケット１２を剥離紙１０の内側にして、これらを一体にロール巻きしたガスケットロール１４を示しており、このロール巻きによって、微粘着層１１がガスケット１２の他側面（外周側面）に貼着する。
【００１１】
剥離紙１０には、例えば幅２５ｍｍ，３０ｍｍ，４０ｍｍ，５０ｍｍといった帯状の紙や合成樹脂シートが用いられ、シリコンプライマ処理を施した一側面に粘着層１１が塗布されるとともに、無処理または一側面と同様にシリコンプライマ処理を施した他側面に微粘着層１２が塗布される。
【００１２】
一方の粘着層１１は、ガスケット１３を図示しない空調用ダクトの接続用フランジに貼着するためのもので、従来からのものと同程度の接着強度が設定される。また、他方の微粘着層１２は、粘着層１１よりも低い粘着力に設定され、詳しくは、上述のようにガスケットロール１４を構成した際に、微粘着層１１がガスケット１２の他側面（外周側面）に貼着し、この状態において上下や左右方向の外力が作用してもロール巻き状態を維持できる程度の粘着力に設定されている。
【００１３】
ガスケット１３には、剥離紙１０と同幅のロックウール繊維やグラスウール繊維を始め、空調用ダクト内部を流通する調和空気の条件に合わせてスポンジ系や樹脂系の基材が帯状に用いられる。
前記ガスケットロール１４は、例えば１０ｍ，２０ｍ，３０ｍといった長さで、その巻き径はガスケット１３の材質によって、例えば直径３０ｃｍ〜５０ｍ程度に巻回される。
【００１４】
このように構成される本実施例のガスケットロール１４は、ビル等の屋内外に配設される空調ダクトを接続する場合に、ロール巻きした外端の剥離紙１０を引き剥がすことにより、剥離紙１０の他側面（外周面）に位置する微粘着層１２が剥離紙１０と一体に剥がされ、剥離紙１０の一側面（内周面）に位置する粘着層１１は従来通りガスケット１３に転写する。
そして、ガスケットロール１４から解きほぐしたガスケット１３と一体の粘着層１１を、空調ダクトの一方のフランジの接合面全周に貼着することにより、該一方のフランジの接合面外周をガスケット１３が囲繞して取り付けられ、該ガスケット１３を挟んで他方のフランジを接合し、両フランジをボルトやクリップで連結してガスケット１３を圧縮することにより、空調ダクトの接側部が気密にシールされる。
【００１５】
本実施例は、ロール状に巻回した際に外側となる剥離紙１０の他側面に微粘着層１２を塗布し、ガスケットロール１４として巻回した際には、この微粘着層１２がガスケット１３の他側面である外周に微粘着力で貼り付くので、上下左右方向の外力にもロール巻き状態をよく保ち、竹の子状の巻き崩れを有効に防止する。
したがって、巻き崩れを直す作業が不要であり、絡まったガスケットを廃棄するという無駄がなくなる。さらに、施工時の微粘着層１２は剥離紙１０と一体に剥がされるので、施工作業に何ら支障を及ぼさない。
このように本実施例は、極めて簡単な構成でありながら利便性が高く、しかも加工工数と材料点数とを削減して低コストで製作することができる。
【図面の簡単な説明】
【００１６】
【図１】本発明の一実施例を示す図２のＢ部拡大図である。
【図２】本発明の一実施例を示すガスケットロールの断面図である。
【図３】従来のガスケットロールの断面図である。
【図４】図３のＡ部拡大図である。
【符号の説明】
【００１７】
１０…剥離紙
１１…粘着層
１２…微粘着層
１３…ガスケット
１４…ガスケットロール 
【図１】
2009041688.tif 000003
【図２】
2009041688.tif 000004
【図３】
2009041688.tif 000005
【図４】
2009041688.tif 000006